(57)【要約】【課題】電力系統の電線と接続する際に、電線の誤配線を判定することができる分散電源、及び分散電源の制御方法を提供する。【解決手段】分散電源は、３以上の端子と、測定部と、制御部と、を備える。３以上の端子は、電力系統の電線を接続するために用いられる。前記測定部は、前記３以上の端子間のそれぞれの電圧値の測定が可能である。前記測定部は、前記測定部が測定した電圧値に基づいて、前記電線の誤配線の有無を判定する。【選択図】図１
2019013073.tif 000002
【特許請求の範囲】
【請求項１】
電力系統の電線を接続するための３以上の端子と、
前記３以上の端子間のそれぞれの電圧値の測定が可能な測定部と、
前記測定部が測定した電圧値に基づいて、前記電線の誤配線の有無を判定する制御部と、を備える、分散電源。
【請求項２】
請求項１に記載の分散電源であって、
前記測定部は、前記３以上の端子間のそれぞれの電圧値の第１測定を行い、
前記制御部は、前記第１測定によって測定された前記ぞれぞれの電圧値と所定の範囲とに基づいて、前記電線の誤配線の有無を判定する、分散電源。
【請求項３】
請求項２に記載された分散電源であって、
発電部および補機を備え、
前記第１測定によって測定された前記ぞれぞれの電圧値が前記所定の範囲内である場合、
前記制御部は、前記補機を起動させる処理を行い、
前記測定部は、前記３以上の端子間のそれぞれの電圧値の第２測定を行う、分散電源。
【請求項４】
請求項３に記載の分散電源であって、
前記制御部は、前記補機が複数の場合、当該複数の補機のうち少なくとも１つを起動させて前記第２測定を行う、分散電源。
【請求項５】
請求項３または４に記載の分散電源であって、
前記制御部は、前記第２測定によって測定された前記ぞれぞれの電圧値と前記所定の範囲とに基づいて、前記電線の誤配線の有無を判定する、分散電源。
【請求項６】
請求項２または５に記載の分散電源であって、
前記制御部は、前記それぞれの電圧値のうち少なくとも１つが前記所定の範囲外である場合、前記電線の誤配線があると判定する、分散電源。
【請求項７】
請求項３または４に記載の分散電源であって、
前記制御部は、前記第２測定によって測定された前記ぞれぞれの電圧値の比較に基づいて、前記電線の誤配線の有無を判定する、分散電源。
【請求項８】
請求項７に記載の分散電源であって、
前記制御部は、前記それぞれの電圧値が異なる場合、前記電線の誤配線があると判定する、分散電源。
【請求項９】
電力系統の電線を接続するための３以上の端子を備える分散電源の制御方法であって、
前記３以上の端子間のそれぞれの電圧値を測定するステップと、
測定された前記ぞれぞれの電圧値に基づいて、前記電線の誤配線の有無を判定するステップと、を含む、分散電源の制御方法。
【発明の詳細な説明】
【技術分野】
【０００１】
本開示は、分散電源及び分散電源の制御方法に関する。
【０００２】
従来、電子機器を電力系統に接続する際に誤配線を検出する技術が知られている。例えば、特許文献１には、電源配線の誤結線によって通常時に比べて所定の倍率の高い電圧が印加されたことを検出する点灯装置が開示されている。
【先行技術文献】
【特許文献】
【０００３】
【特許文献１】特開２００８−２７００４８号公報
【発明の概要】
【発明が解決しようとする課題】
【０００４】
分散電源を電力系統に接続する際に誤配線を検出する技術の利便性向上が望まれている。
【０００５】
本開示の目的は、分散電源を電力系統に接続する際に誤配線を検出する技術の利便性を向上させる分散電源及び分散電源の制御方法を提供することにある。
【課題を解決するための手段】
【０００６】
本開示の一実施形態に係る分散電源は、３以上の端子と、測定部と、制御部と、を備える。３以上の端子は、電力系統の電線を接続するために用いられる。前記測定部は、前記３以上の端子間のそれぞれの電圧値の測定が可能である。前記測定部は、前記測定部が測定した電圧値に基づいて、前記電線の誤配線の有無を判定する。
【０００７】
本開示の一実施形態に係る制御方法は、電力系統の電線を接続するための３以上の端子を備える分散電源の制御方法である。前記制御方法は、前記３以上の端子間のそれぞれの電圧値を測定するステップを含む。さらに、前記制御方法は、測定された前記ぞれぞれの電圧値に基づいて、前記電線の誤配線の有無を判定するステップを含む。
【発明の効果】
【０００８】
本開示の一実施形態に係る分散電源及び分散電源の制御方法によれば、分散電源を電力系統に接続する際に誤配線を検出する技術の利便性が向上する。
【図面の簡単な説明】
【０００９】
【図１】本開示の一実施形態に係る燃料電池装置の概略図である。
【図２】図１に示す燃料電池装置の動作を示すフローチャートである。
【図３】電線を正しく接続した図１の燃料電池装置の接続部の拡大概略図である。
【図４】電線を誤って接続した図１の燃料電池装置の接続部の概略図である。
【図５】電線のうち中性線を未接続の図１の燃料電池装置の接続部の概略図である。
【図６】電線のうち中性線を未接続の状態で１つの補機が起動された図１の燃料電池装置の接続部の概略図である。
【図７】電線のうち中性線を未接続の状態で全ての補機が起動された図１の燃料電池装置の接続部の概略図である。
【発明を実施するための形態】
【００１０】
以下、本開示の実施形態について、図面を参照して説明する。
【００１１】
図１を参照して、本開示の一実施形態に係る分散電源の一例である燃料電池装置１について説明する。図１において、実線は電線を示し、破線は制御線及び信号線を示す。燃料電池装置１は、需要家施設に設置される。燃料電池装置１は、電力系統１００に複数の電線７１にて接続される。本実施形態において、燃料電池装置１は単相三線式にて電力系統１００と接続されることを想定している。そのため、複数の電線７１には、Ｕ端子７０ｕと接続されるＵ相電線７１ｕ、Ｗ端子７０ｗと接続されるＷ相電線７１ｗ、及び、Ｏ端子７０ｏと接続されるＯ相電線７１ｏが含まれる。Ｏ相電線７１ｏは中性線である。本明細書において、「電力系統」とは、例えば、商用電源系統を含んでもよい。
【００１２】
リモコン２は、燃料電池装置１の発電量等を設定するときに、ユーザが使用するものである。
【００１３】
続いて、燃料電池装置１の構成の詳細について説明する。燃料電池装置１は、セルスタック１１を備える発電部１０、第１補機１２、第２補機１３、電力変換部２０、第１スイッチ３０、第２スイッチ３１、第３スイッチ３２、ＰＣＳ（Ｐｏｗｅｒ  Ｃｏｎｄｉｔｉｏｎｉｎｇ  Ｓｕｂｓｙｓｔｅｍ：電力制御装置）４０、記憶部５０、測定部６０、複数の端子７０、制御部８０、及び、通信部９０を備える。
【００１４】
セルスタック１１は、第１補機１２または第２補機１３を起動させることによって直流電力を発電する。セルスタック１１は、発電した直流電力を電力変換部２０に供給する。
【００１５】
第１補機１２及び第２補機１３は、セルスタック１１を発電させるために用いられる周辺機器である。これらの補機となる周辺機器として、例えば、燃焼触媒を加熱する燃焼触媒ヒータ、凝縮水の凍結を防止する凍結防止ヒータ、燃料を着火する着火ヒータ、及び、燃料をセルスタック１１に供給するためのブロワ及びポンプ等が挙げられる。また、本実施形態では、第１補機１２及び第２補機１３は、所定の交流電圧値が印加されることで動作し、所定の交流電圧値を上回る異常高電圧が印加されると、破損する恐れがあるものである。また、本実施形態では、所定の交流電圧値は、１００Ｖとして説明するが、これに限らず、任意の電圧値であってもよい。説明のため、本実施形態の燃料電池装置１は２つの補機を備えている。しかし、補機の数は任意の数とすることができる。
【００１６】
電力変換部２０は、発電部１０から供給される直流電力を交流電力に変換する。第３スイッチ３２がオン状態であるとき、電力変換部２０は、変換後の交流電力を電力系統１００に供給する。
【００１７】
第１スイッチ３０及び第２スイッチ３１は、例えば、リレーを含む。第１スイッチ３０は第１補機１２と端子７０との間に設けられる。第２スイッチ３１は第２補機１３と端子７０との間に設けられる。第１スイッチ３０及び第２スイッチ３１は、制御部８０の制御に基づき、オン／オフ状態を切り替える。第１スイッチ３０または第２スイッチ３１がオン状態になると、それぞれ対応する第１補機１２または第２補機１３への通電が可能となる。通電されると、第１補機１２または第２補機１３は起動する。また、第１スイッチ３０または第２スイッチ３１がオフ状態になると、それぞれ対応する第１補機１２または第２補機１３への通電が停止し、第１補機１２または第２補機１３は停止する。
【００１８】
ＰＣＳ４０は、燃料電池装置１から電力系統１００への出力電力を制御する。ＰＣＳ４０は、第１補機１２及び第２補機１３が持つ抵抗に比べて、大きな抵抗値を持つ内部抵抗を備える。なお、本実施形態では、第１補機１２が持つ抵抗値は５７Ω、第２補機１３が持つ抵抗値は１３Ω、ＰＣＳ４０が持つ抵抗値は４５０ｋΩであるとする。ＰＣＳ４０は、端子７０の各端子に接続され、各端子間の電圧値を測定する。ＰＣＳ４０は、その測定した値を、制御部８０に送信する。
【００１９】
記憶部５０は、燃料電池装置１の処理に必要な情報及び燃料電池装置１の各機能を実現する処理内容を記述したプログラムを記憶する。本実施形態では、記憶部５０は、例えば、後述の閾値範囲等を記憶している。
【００２０】
測定部６０は、端子７０の各端子に接続され、各端子間の電圧値を測定する。測定部６０は、その測定した値を、制御部８０に送信する。本実施形態において、各端子間の電圧値の測定は測定部６０以外の部位により実施されてもよい。例えば、各端子間の電圧値として、前述のＰＣＳ４０により測定された値が用いられてもよい。また、測定部６０は、ＰＣＳ４０の内部に設けられてもよい。
【００２１】
端子７０は、電力系統１００の電線７１と燃料電池装置１内の電線との接続に用いられる。本実施形態において、燃料電池装置１は単相三線式にて電力系統１００と接続されることを想定している。そのため、燃料電池装置１はＵ端子７０ｕ、Ｏ端子７０ｏ及び、Ｗ端子７０ｗを備える。燃料電池装置１の結線方式には、例えば、単相三線式、三相三線式、または三相四線式など様々な方式がある。燃料電池装置１の結線方式に応じて、端子７０の端子数も３以上の任意の数とすることができる。
【００２２】
制御部８０は、燃料電池装置１全体を制御するものである。制御部８０は、例えば、各機能の処理を実行させるソフトウェアを読み込んだ汎用のＣＰＵ（Ｃｅｎｔｒａｌ Ｐｒｏｃｅｓｓｉｎｇ Ｕｎｉｔ：中央処理装置）等の任意のプロセッサによって構成される。あるいは、制御部８０は、例えば、各機能の処理に特化した専用のプロセッサによって構成される。本実施形態において、制御部８０は、燃料電池装置１が電力系統１００の電線７１に接続されたときに、測定部６０が測定する端子７０の各端子間の電力値に基づいて、電線７１の誤配線の有無を判定する。
【００２３】
通信部９０は、リモコン２と通信する。また、通信部９０は、ネットワークを介して遠隔のサーバ等と通信可能である。通信部９０は、例えば、制御部８０が電線７１の誤配線の有無を判定した結果をリモコン２または遠隔のサーバ等に報知することも可能である。
【００２４】
図２を参照して、本開示の一実施形態に係る燃料電池装置１の動作の一例を説明する。例えば、本処理は燃料電池装置１を起動する際の補機の初期化時に実施されてもよい。
【００２５】
ステップＳ１０１：第１スイッチ３０及び第２スイッチ３１がオフで、第１補機１２及び第２補機１３が通電されていない初期状態にて、端子７０の各端子にそれぞれ電線７１の各電線が接続される。これによって、制御部８０は、本処理を開始する。
【００２６】
ステップＳ１０２：制御部８０は、測定部６０によってＵ−Ｏ間の電圧値とＷ−Ｏ間の電圧値を測定する第１測定を実施する。Ｕ−Ｏ間の電圧値とは、Ｕ端子７０ｕとＯ端子７０ｏ間の電圧値のことである。また、Ｗ−Ｏ間の電圧値とは、Ｗ端子７０ｗとＯ端子７０ｏ間の電圧値のことである。
【００２７】
ステップＳ１０３：制御部８０は、測定されたＵ−Ｏ間の電圧値とＷ−Ｏ間の電圧値が、事前に設定した閾値範囲内であるかを判定する。閾値範囲は、燃料電池装置１の構成または用途に応じて、変更することができる。例えば、本実施形態の説明において、７０Ｖ〜１３０Ｖと設定することができる。
【００２８】
ステップＳ１０４：測定されたＵ−Ｏ間の電圧値とＷ−Ｏ間の電圧値が閾値範囲内である場合には（ステップＳ１０３−Ｙｅｓ）、制御部８０は、第１補機１２を起動するために、第１スイッチ３０をオンにする。オンにするスイッチは、第２補機１３を起動するための第２スイッチ３１でもよい。また、本実施形態においては、２つの第１補機１２及び第２補機１３を備える燃料電池装置１の構成から、１つの補機を起動させている。本ステップにおいて起動する補機は燃料電池装置１の構成に応じて、負荷に異常高電圧がかからない範囲で選択可能であり、複数にもすることができる。
【００２９】
ステップＳ１０５：制御部８０は、再度、測定部６０によってＵ−Ｏ間の電圧値とＷ−Ｏ間の電圧値を測定する第２測定を実行する。
【００３０】
ステップＳ１０６：制御部８０は、測定されたＵ−Ｏ間の電圧値とＷ−Ｏ間の電圧値が、事前に設定した閾値範囲内であるかを判定する。
【００３１】
ステップＳ１０７：測定されたＵ−Ｏ間の電圧値とＷ−Ｏ間の電圧値が閾値範囲内である場合には（ステップＳ１０６−Ｙｅｓ）、制御部８０は、配線接続は正常であると判定し、本処理を終了する。
【００３２】
ステップＳ１０８：測定されたＵ−Ｏ間の電圧値またはＷ−Ｏ間の電圧値が閾値範囲外である場合には（ステップＳ１０３−Ｎｏ、ステップＳ１０６−Ｎｏ）、制御部８０は、配線接続に異常がある、つまり、誤配線が発生したと判定し、本処理を終了する。
【００３３】
以上述べたように、本実施形態によれば、燃料電池装置１は電力系統１００の電線７１を接続するための３以上の端子７０と、３以上の端子間のそれぞれの電圧値の測定が可能な測定部６０と、測定部６０が測定した電圧値に基づいて、電線７１の誤配線の有無を判定する制御部８０と、を備える。測定部６０は、端子７０の各端子の電圧値、つまり、Ｕ−Ｏ間の電圧値とＷ−Ｏ間の電圧値を測定する第１測定を行う。制御部８０は、測定部６０が第１測定によって測定したＵ−Ｏ間の電圧値とＷ−Ｏ間の電圧値を取得する。Ｕ−Ｏ間の電圧値またはＷ−Ｏ間の電圧値が事前に設定した閾値範囲外である場合には、制御部８０は、電力系統１００の電線７１は端子７０へ正しく接続されていないと判定する。なお、判定結果は、例えば、リモコン２の表示部に表示することで、利用者に報知することができる。一方で、Ｕ−Ｏ間の電圧値とＷ−Ｏ間の電圧値が事前に設定した閾値範囲内である場合には、制御部８０は、電力系統１００の電線７１は端子７０へ正しく接続されていると判定する。これによって、燃料電池装置１を電力系統１００に接続する際に、誤配線を検出することができる。そのため、異常高電圧がかかりうる状態で補機が起動することによって、補機が破損する蓋然性が低下する。
【００３４】
制御部８０の動作の具体例を、図３及び図４を参照して説明する。図３及び図４において、理解を容易にするために、説明の対象となる機器のみを記載する。図３を参照すると、電力系統１００の電線７１の各電線が正しく、それぞれに対応する端子７０の各端子に接続されている。第１スイッチ３０及び第２スイッチ３１をオフにした状態において、制御部８０は、測定部６０によってＵ−Ｏ間の電圧値とＷ−Ｏ間の電圧値を測定する。測定されたＵ−Ｏ間の電圧値とＷ−Ｏ間の電圧値はどちらも１００Ｖと閾値範囲内であるため、制御部８０は、端子７０と電線７１が正しく接続されていると判定できる。この状態で、第１スイッチ３０及び第２スイッチ３１をオンにすると、正常な１００Ｖの電圧が第１補機１２及び第２補機１３それぞれに印加される。
【００３５】
一方で、図４を参照すると、施工時の作業ミス等によって、電力系統１００のＷ相電線７１ｗが燃料電池装置１のＯ端子７０ｏに接続され、Ｏ相電線７１ｏがＷ端子７０ｗに逆さに接続されている。第１スイッチ３０及び第２スイッチ３１をオフにした状態において、制御部８０は、測定部６０によってＵ−Ｏ間の電圧値とＷ−Ｏ間の電圧値を測定する。測定されたＵ−Ｏ間の電圧値とＷ−Ｏ間の電圧値は、それぞれ２００Ｖと１００Ｖとなる。Ｕ−Ｏ間の電圧値は閾値範囲内でないため、制御部８０は、端子７０と電線７１において誤配線が発生していると判定できる。もし、この状態で第１スイッチ３０及び第２スイッチ３１をオンにすると、第１補機１２に２００Ｖの電圧が印加される。本実施形態を用いることによって、第１補機１２が破損する蓋然性が低下する。
【００３６】
本実施形態によれば、測定部６０は、端子７０の各端子の電圧値、つまり、Ｕ−Ｏ間の電圧値とＷ−Ｏ間の電圧値を測定する第１測定を行う。制御部８０は、測定部６０が第１測定によって測定したＵ−Ｏ間の電圧値とＷ−Ｏ間の電圧値を取得する。Ｕ−Ｏ間の電圧値とＷ−Ｏ間の電圧値が事前に設定した閾値範囲内にない場合には、制御部８０は、電力系統１００の電線７１は端子７０へ正しく接続されていないと判定する。一方で、Ｕ−Ｏ間の電圧値とＷ−Ｏ間の電圧値が事前に設定した閾値範囲内である場合には、制御部８０は、補機を起動させる。本実施形態における燃料電池装置１は第１補機１２及び第２補機１３を備える。そのため、制御部８０は、例えば、複数の補機の一部である第１補機１２を起動させる。測定部６０は、再度、端子７０の各端子の電圧値、つまり、Ｕ−Ｏ間の電圧値とＷ−Ｏ間の電圧値を測定する第２測定を行う。制御部８０は、測定部６０が第２測定によって測定したＵ−Ｏ間の電圧値とＷ−Ｏ間の電圧値を取得する。Ｕ−Ｏ間の電圧値またはＷ−Ｏ間の電圧値が事前に設定した閾値範囲外である場合には、制御部８０は、電力系統１００の電線７１は端子７０へ正しく接続されていないと判定する。一方で、Ｕ−Ｏ間の電圧値とＷ−Ｏ間の電圧値が事前に設定した閾値範囲内である場合には、制御部８０は、電力系統１００の電線７１は端子７０へ正しく接続されていると判定する。これによって、燃料電池装置１を電力系統１００に接続する際に、誤配線を検出することができる。また、制御部８０は、測定部６０が第２測定によって測定したＵ−Ｏ間の電圧値とＷ−Ｏ間の電圧値を比較することもできる。Ｕ−Ｏ間の電圧値とＷ−Ｏ間の電圧値が等しくない場合には、制御部８０は、電力系統１００の電線７１は端子７０へ正しく接続されていないと判定する。そのため、異常高電圧がかかりうる状態で補機が起動することによって、補機が破損する蓋然性が低下する。
【００３７】
制御部８０の動作の具体例を、図５、図６及び図７を参照して説明する。図５、図６及び図７において、理解を容易にするために、説明の対象となる機器のみを記載する。図５を参照すると、電力系統１００のＯ相電線７１ｏと燃料電池装置１のＯ端子７０ｏが未接続の状態で、電線７１と端子７０が接続されている。第１スイッチ３０及び第２スイッチ３１をオフにした状態において、制御部８０は、測定部６０によってＵ−Ｏ間の電圧値とＷ−Ｏ間の電圧値を測定する。測定されたＵ−Ｏ間の電圧値とＷ−Ｏ間の電圧値は１００Ｖと閾値範囲内であるため、制御部８０は、第１スイッチ３０のみをオンにする。図６に示すとおり、ＰＣＳ４０の内部抵抗は第１補機１２の抵抗値に比べて非常に大きな抵抗値を持つ。第１補機１２の抵抗が、ＰＣＳ４０の内部抵抗と直列接続されることによって、ＰＣＳ４０の内部抵抗に略２００Ｖの電圧がかかる。そのため、測定部６０によって再度測定されると、Ｕ−Ｏ間の電圧値は略０Ｖとなり、Ｗ−Ｏ間の電圧値は２００Ｖとなる。これによって、制御部８０は、端子７０と電線７１において誤配線が発生していると判定できる。略０Ｖ及び略２００Ｖは、実用上、実質的に０Ｖとみなせる範囲であってもよい。
【００３８】
もし、図７に示すとおり、上記の状態において、第１スイッチ３０及び第２スイッチ３１をオンにすると、第１補機１２と第２補機１３が直列接続される。このため、第１補機１２の抵抗と第２補機１３の抵抗にはそれぞれの抵抗値に比例した分圧がかかる。このため、第１補機１２の抵抗値が５７Ωであり、第２補機１３の抵抗値が１３Ωであることから、第１補機１２の抵抗には略１６０Ｖの電圧が印加されうる。そのため、異常高電圧がかかりうる状態で第１補機１２が起動することによって、第１補機１２が破損する蓋然性が低下する。略１６０Ｖは、実用上、実質的に１６０Ｖとみなせる範囲であってもよい。
なお、本実施形態において、電力系統１００のＯ相電線７１ｏと燃料電池装置１のＯ端子７０ｏが未接続の状態には、例えば、燃料電池装置１のＯ端子７０ｏに、Ｏ相電線７１ｏ以外の自立運転用の電線または燃料電池装置１以外の電線が接続されている状態を含む。例えば、燃料電池装置１のＯ端子７０ｏに燃料電池装置１の自立運転用の電線が誤って接続されると、自立運転時の最大出力電圧（例えば、１００Ｖ）よりも小さい電圧（例えば、５０Ｖ）が検出される。この場合、測定部６０によって測定されるＵ−Ｏ間およびＷ−Ｏ間の電圧値は、所定の範囲外となるため、誤配線が発生していると判定できる。
【００３９】
上述の実施形態は代表的な例として説明したが、本開示の趣旨及び範囲内で、多くの変更及び置換ができることは当業者に明らかである。従って、本開示は、上述の実施形態によって制限するものと解するべきではなく、特許請求の範囲から逸脱することなく、種々の変形または変更が可能である。例えば、各手段、または各ステップ等に含まれる機能等は論理的に矛盾しないように再配置可能であり、複数の手段またはステップ等を１つに組み合わせたり、あるいは分割したりすることが可能である。
【００４０】
本開示において、燃料電池装置１の中に測定部６０、制御部８０、及び、ＰＣＳ４０等の機器を配置した実施形態にて説明した。燃料電池装置１の用途等に応じて、燃料電池装置１の一部の機器を燃料電池装置１の外部に配置することも可能である。例えば、外部に設置したＰＣＳ４０から燃料電池装置１の測定部６０及びスイッチ等を遠隔制御することで、本開示の内容を実現することも可能である。
また、本開示では、分散電源の一例としての燃料電池装置で説明をしたが、これに限られない。分散電源としては、例えば、太陽電池装置または風力発電装置などの発電装置、蓄電装置等を用いてもよい。また、分散電源として、発電装置または蓄電装置を用いる場合には、補機の代わりに疑似負荷を用いればよい。また、測定部は、発電装置または蓄電装置のＰＣＳの内部に設けられてもよいし、ＰＣＳの外部に設けられてもよい。
【符号の説明】
【００４１】
１  燃料電池装置
２  リモコン
１０  発電部
１１  セルスタック
１２  第１補機
１３  第２補機
２０  電力変換部
３０  第１スイッチ
３１  第２スイッチ
３２  第３スイッチ
４０  ＰＣＳ
５０  記憶部
６０  測定部
７０  端子
７０ｕ  Ｕ端子
７０ｗ  Ｏ端子
７０ｏ  Ｗ端子
７１  電線
７１ｕ  Ｕ相電線
７１ｗ  Ｗ相電線
７１ｏ  Ｏ相電線
８０  制御部
９０  通信部
１００  電力系統
【図１】
2019013073.tif 000003
【図２】
2019013073.tif 000004
【図３】
2019013073.tif 000005
【図４】
2019013073.tif 000006
【図５】
2019013073.tif 000007
【図６】
2019013073.tif 000008
【図７】
2019013073.tif 000009